【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
読取装置を用いたセキュリティ文書の認証方法であって、
前記読取装置により、第１スペクトル帯域で前記セキュリティ文書の第１領域における第１透過・反射特性を検出し、前記検出された第１透過・反射特性から前記第１透過・反射特性を示す第１データセットを生成するものであって、
前記第１領域は、少なくともいくつかの領域において、前記セキュリティ文書上に配置された光学セキュリティ素子又は前記セキュリティ文書に埋め込まれた光学セキュリティ素子と重なり、
さらに、前記読取装置により、第２スペクトル帯域で前記セキュリティ文書の前記第１領域における第２透過・反射特性を検出し、前記検出された第２透過・反射特性から前記第２透過・反射特性を示す第２データセットを生成するものであって、
前記第１スペクトル帯域は、前記第２スペクトル帯域と異なり、
前記セキュリティ文書及び／又は前記セキュリティ素子の真正性は、少なくとも前記第１データセット及び前記第２データセットに基づいて検査され、
前記セキュリティ素子又は前記セキュリティ文書の前記真正性に関する情報項目、特に前記真正性の評価が前記読取装置により出力されること、を特徴とする方法。
【請求項２】
前記読取装置により、第３スペクトル帯域又は第４スペクトル帯域で、前記セキュリティ文書の前記第１領域における第３及び／又は第４透過・反射特性を検出し、そこから当該特性を示す第３データセット又は第４データセットを生成するものであって、
前記第３スペクトル帯域又は前記第４スペクトル帯域は、前記第１スペクトル帯域及び前記第２スペクトル帯域とは異なり、
前記セキュリティ文書及び／又は前記セキュリティ素子の真正性は、特に、少なくとも前記第１、第２、第３及び／又は第４データセットに基づき検査されること、を特徴とする請求項１に記載の方法。
【請求項３】
前記読取装置は、前記第１、第２、第３及び／又は第４スペクトル帯域で、反射光により表側から、反射光及び／又は透過光により裏側から、前記セキュリティ文書の前記第１領域における前記第１、第２、第３及び／又は第４透過・反射特性を検出し、そこからこれらの特性を示す前記第１、第２、第３又は第４データセットを生成するものであって、
好ましくは、前記第１データセットのうちの少なくとも１つが、前記表側及び／又は裏側からの反射光中の前記反射特性に関するデータ、前記表側及び／又は裏側からの反射光及び透過光中の反射特性に関するデータ、を含み、
前記セキュリティ文書及び／又は前記セキュリティ素子の真正性は、前記データセットのデータに基づいて検査されること、を特徴とする請求項１又は２に記載の方法。
【請求項４】
前記セキュリティ文書の前記セキュリティ素子は、特に前記第１領域において１つ以上のセキュリティ構造を有し、及び／又は、
前記第１領域の前記セキュリティ文書は、１つ以上のセキュリティ構造を有し、
前記１つ以上のセキュリティ構造は、好ましくは少なくともある領域において重なり合うこと、を特徴とする請求項１から３のいずれかに記載の方法。
【請求項５】
前記セキュリティ文書の真正性検査のために、
少なくとも前記第１データセット及び前記第２データセットの比較により、セキュリティ素子及び／又はセキュリティ文書に設けられた２つ以上のセキュリティ構造の１つ以上の相対値、特に相対配置、具体的には間隔、相対的なサイズ、相対形状、特に画像要素の向き及び形状の見当精度、相対的な重なり及び／又は相対的な向き、を判断し、
前記判断した、２つ以上のセキュリティ構造の１つ以上の相対値を、割り当てられた基準相対値と比較し、偏差が割り当てられた許容範囲外にある場合、上記真正性を否定する、
並びに／あるいは、
前記第１データセットにより、前記セキュリティ素子の第１セキュリティ構造の配置及び／又は形状を判断し、
前記第２データセットにより、前記セキュリティ素子及び／又は前記セキュリティ文書の第２セキュリティ構造の配置及び／又は形状を判断し、
前記第３データセット又は第４データセットにより、前記セキュリティ素子及び／又は前記セキュリティ文書の第３セキュリティ構造及び／又は第４セキュリティ構造の配置及び／又は形状を選択的に判断し、
前記判断した配置及び／又は形状を互いに比較し、前記相対配置、特に、間隔、相対的なサイズ及び／又は相対形状、特に前記セキュリティ素子の２つ以上のセキュリティ構造あるいは２つ以上のセキュリティ構造の画像要素の向き及び形状の見当精度、を判断すること、
を特徴とする請求項１から４のいずれかに記載の方法。
【請求項６】
前記セキュリティ構造の少なくとも１つが、１つ以上の画像要素と、当該画像要素を取り囲む背景領域とを有し、
反射光及び／又は透過光の下、少なくとも前記第１、第２、第３及び／又は第４スペクトル帯域のいずれかにおける前記画像要素と背景領域とのコントラストが、５％を超える、好ましくは８％を超える、さらに好ましくは１０％を超える、及び／又は、反射率及び／又は透過率の差が、５％を超える、好ましくは１０％を超える、特に１５％から１００％の間、好ましくは２５％から１００％の間であり、
並びに／あるいは、
前記セキュリティ構造の少なくとも１つが、１つ以上の画像要素と、当該画像要素を取り囲む背景領域とを有し、
少なくとも前記第１、第２、第３及び／又は第４スペクトル帯域のいずれかにおける反射光及び／又は透過光の下、前記画像要素と前記背景領域とのコントラストが、９５％未満、好ましくは９２％未満、より好ましくは９０％未満であること、を特徴とする請求項４又は５に記載の方法。
【請求項７】
前記セキュリティ構造の少なくとも１つが、ＩＲ照明下で容易に認識可能な、部分的に成形された金属層、好ましくは金属反射層、により形成され、特に、前記金属層は、Ａｌ，Ｃｕ，Ｃｒ，Ａｇ，Ａｕ又はこれらの合金からなり、
及び／又は、
前記セキュリティ構造の少なくとも１つがカラー層で形成され、特に、前記カラー層が、前記第１スペクトル帯域において略透明であり、
及び／又は、
前記カラー層が、前記第２スペクトル帯域及び／又は前記第２スペクトル帯域の一部において、最大で５０％、特に最大で２５％の透光性を持ち、
及び／又は、
前記カラー層が発光するように形成される又は発光するように見え、
及び／又は、
前記カラー層は、前記第２スペクトル帯域及び／又は第３スペクトル帯域の放射線、特にＵＶ照射及び／又はＶＩＳ照射、によって励起されること、
を特徴とする請求項４から６のいずれかに記載の方法。
【請求項８】
前記セキュリティ構造の少なくとも１つが、レリーフ構造及び反射層により形成され、前記レリーフ構造は、特に少なくとも１つのスペクトル帯域において、入射光を所定の方法で偏向し、
特に、前記反射層は、前記スペクトル帯域の少なくとも１つにおいて透明又は透明に見え、特に、反射層、好ましくはＨＲＩ層により形成され、
前記反射層は、好ましくは５０％を超える、特に７０％を超える透光率を持ち、及び／又は５０％未満、特に３０％未満の反射率を持ち、
特に、前記レリーフ構造は、光学的可変特性を有するレリーフ構造によって形成され、及び／又は、回折格子、非対称回折構造、等方性マット構造、異方性マット構造、ブレーズド格子、ゼロ次回折構造、光屈折性又は集束構造、具体的には、マイクロプリズム、マイクロレンズ、のうちの１つ以上のレリーフ構造を備え、
及び／又は、
前記レリーフ構造は、回折構造、特にゼロ次レリーフ構造、により形成され、特に、入射光を前記第１、第２、第３及び／又は第４スペクトル帯域のうちの１つにおいて所定の方法で回折する一方、前記第１、第２、第３及び／又は第４スペクトル帯域のうちの１つ以上の別の帯域において、前記入射光を回折しない又は略回折しないこと、
を特徴とする請求項７に記載の方法。
【請求項９】
前記第１セキュリティ構造と第２セキュリティ構造との相対形状を判断するために、前記第１セキュリティ構造の１つ以上の画像要素及び前記第２セキュリティ構造の１つ以上の画像要素の形状を検査し、前記画像要素が互いに正確に配置されているか、具体的には、線として形成された画像要素が正確な位置で互いに結合するか、及び／又はそれらの傾斜が一致するかどうか、を検査すること、を特徴とする請求項４から８のいずれかに記載の方法。
【請求項１０】
前記第１、第２、第３及び／又は第４データセットは、好ましくは、複数の画像点データを介して前記第１領域を画像化するものであって、当該画像点データは、前記第１の領域の画像点に対して、好ましくは、それぞれ少なくとも１つの明度値を割り当て、
特に、前記明度値は、特に２５６の値、好ましくは５１２の値、より好ましくは１０２４の値を有する所定の範囲から選択され、
及び／又は、
前記第１、第２、第３及び／第４データセットは、それぞれカラーチャネル毎に１つの明度値を第１の領域の画像点に割り当て、
及び／又は、
前記第１、第２、第３及び／第４データセットは、画像処理が施され、前記画像処理は、特に、ローパスフィルタ及び／又はバイラテラルフィルタを用いた画像フィルタリング処理、テンプレートマッチング処理、閾値化処理、境界枠処理、及びA-KAZE処理、具体的にはA-KAZE特徴検出器及び特徴記述子による処理、のうちの１つ以上の処理を有し、
及び／又は、
前記第１、第２、第３及び／又は第４データセットから、それぞれ閾値画像を算出し、
特に、
前記第１、第２、第３及び／又は第４データセットから前記閾値画像を生成するために、
前記割り当てられたデータセットからエッジ画像を算出し、
前記割り当てられたデータセットから黒画像を算出し、
前記割り当てられたデータセットから白画像を算出し、
前記エッジ画像、前記黒画像、及び前記白画像を合成して閾値画像を算出すること、
を特徴とする請求項１から９のいずれかに記載の方法。
【請求項１１】
前記セキュリティ構造の少なくとも１つ、特に前記セキュリティ構造が、１つ以上の画像要素からなる第１オブジェクトを備え、前記画像要素の領域に金属層の金属が設けられ、前記セキュリティ構造の前記金属層の前記金属は、前記画像要素を取り囲む背景領域には設けられず、
及び／又は、
前記セキュリティ構造の少なくとも１つ、特に前記第２セキュリティ構造又は別のセキュリティ構造が、１つ以上の画像要素からなる第２オブジェクトを備え、前記セキュリティ構造のカラー層の染料及び／又は顔料が前記画像要素の前記領域に設けられ、前記カラー層の前記染料及び／又は顔料は、前記画像要素を取り囲む背景領域には設けられない、又は低濃度で設けられ、
特に、
前記第１セキュリティ構造の前記第１オブジェクトが前記第１データセットから検出されると共に、前記第１オブジェクトの基準点、特に中心点が前記第１データセットから算出され、前記第２セキュリティ構造の前記第２オブジェクトが前記第２データセットから検出されると共に、前記第２オブジェクトの基準点、特に中心点が前記第２データセットから算出され、前記セキュリティ文書及び／又は前記セキュリティ素子の真正性検査は、前記算出された前記第１オブジェクトの基準点、特に中心点と第２オブジェクトの基準点、特に中心点との間隔を基準値と比較して実行し、好ましくは、
前記第１及び／又は第２オブジェクトの前記基準点、特に中心点を算出するために、それぞれ矩形フレームを算出、好ましくは前記第１及び／又は第２オブジェクトの幾何学形状の境界を示す矩形フレームを算出し、前記矩形フレームの前記基準点、特に中心点を、前記第１オブジェクト又は第２オブジェクトの基準点、特に中心点として評価すること、
を特徴とする請求項４から１０のいずれかに記載の方法。
【請求項１２】
第１のセキュリティ構造及び第２のキュリティ構造は、少なくともいくつかの領域において重なり、前記セキュリティ素子の表側から見たとき、前記第１セキュリティ構造は前記第２セキュリティ構造の上に配置され、前記第１及び第２セキュリティ構造は、それぞれ１つ以上の画像要素及び背景領域を有し、前記第１セキュリティ構造の前記画像要素は、前記第２スペクトル帯域において不透明又は大部分が不透明であり、特に金属層からなり、前記第１データセット及び前記第２データセットは、好ましくは、前記第２データセットの前記第２セキュリティ素子の画像要素が、前記第１セキュリティ構造の前記背景領域の領域のみで画像化されているかどうかを確認するために比較されること、
及び／又は、
第１のセキュリティ構造、第２のセキュリティ構造は、それぞれ、１つ以上の画像要素及び背景領域を有し、前記第２セキュリティ構造の画像要素は、前記第１スペクトル帯域において透明又は大部分が透明である一方、前記第２スペクトル帯域において前記第２セキュリティ構造の背景領域に対してコントラストを持つ、好ましくは５％を超えるコントラスト、特に８％を超えるコントラスト、好ましくは１０％を超えるコントラストを持ち、前記第１及び第２セキュリティ構造は、好ましくは少なくともいくつかの領域において重なり、前記第２セキュリティ構造は、前記セキュリティ文書の表側から見て、前記第１セキュリティ構造上に配置されること、
を特徴とする請求項４から１１のいずれかに記載の方法。
【請求項１３】
前記第２セキュリティ構造の１つ以上の前記画像要素（７ａ）の前記位置及び形状は、前記第２データセットから判断、具体的には第２閾値画像の算出により判断され、
前記第１セキュリティ構造（１０ａ）の１つ以上の画像要素（７ａ）の前記位置及び形状は、前記第１データセットから判断、具体的には、第１閾値画像の算出により判断され、
前記第１セキュリティ構造（１０ａ）及び前記第２セキュリティ構造（１０ｂ）の前記画像要素（７ａ）の端点といったキーポイントを決定すると共に、これに基づき、前記第１及び第２セキュリティ素子（１ａ，１ｂ）の画像要素の互いの位置、形状及び／又は方向の見当精度を検査する、具体的には、前記第１セキュリティ構造（１０ａ）及び前記第２セキュリティ構造（１０ｂ）の画像要素（７ａ）が、割り当てられた基準値に従い相互に正確に配置されているか、及び／又は互いに正確に結合しているか、及び／又は傾斜が正確に一致するか、検査すること、を特徴とする請求項４から１２のいずれかに記載の方法。
【請求項１４】
前記第１セキュリティ構造は、部分金属部と回折構造とを備え、前記第２セキュリティ構造は部分カラー層を備え、前記金属層又は前記カラー層の材料は、前記第１セキュリティ構造及び前記第２セキュリティ構造の１つ以上の画像要素に設けられ、当該画像要素を取り囲む背景領域には設けられず、前記金属層及び前記カラー層の前記画像要素は、互いに一致する形状を持ち、前記回折構造は、前記第２スペクトル帯域、特に、ＶＩＳ帯域の放射線を前記読取装置のセンサに回折する一方、前記第１スペクトル帯域、特に、ＩＲ帯域の放射線を前記読取装置の前記センサに回折しないように設計されること、
及び／又は、
前記第１セキュリティ構造は、部分金属層を備え、前記第２セキュリティ構造は、部分カラー層を備え、前記金属層又は前記カラー層の材料は、前記第１セキュリティ構造及び前記第２セキュリティ構造の１つ以上の画像要素に設けられ、当該画像要素を取り囲む背景領域には設けられず、前記カラー層の複数の画像要素が機械読取可能なコード状に成形され、前記金属層は、第１情報項目の形状に成形された第１マスク層と、前記カラー層により形成される第２マスク層と、を用いて非金属化され、よって前記金属層の画像要素は、もはや完全な前記第１情報項目を含まなくなり、
特に、前記機械読取可能なコード及び／又は前記第１情報項目は、前記第１データセット及び前記第２データセットを組み合わせて算出されること、
を特徴とする請求項４から１３のいずれかに記載の方法。
【請求項１５】
前記セキュリティ素子がカラー層を備えたセキュリティ構造を有する場合、前記セキュリティ文書の前記真正性検査のため、さらに、
位置、色、インクの塗布範囲、反射、向き、サイズ、形状、個人化、色変化及び電磁的特性、から選択される前記カラー層の１つ以上のパラメータを、特に前記第１、第２、第３及び第４データセットの１つ以上に基づいて決定し、好ましくは、前記決定した１つ以上のパラメータと割り当てられた所定の基準値との比較を実行し、前記偏差が割り当てられた所定許容範囲を超える場合、上記真正性を否定する、
及び／又は、
前記セキュリティ素子が金属層を備えたセキュリティ構造を有する場合、前記セキュリティ文書の前記真正性検査のため、さらに、
位置、反射、方向、サイズ、形状、個人化、被覆範囲、から選択される前記金属層の１つ以上のパラメータを、特に前記第１、第２、第３及び第４データセットの１つ以上に基づいて決定し、好ましくは、前記決定した１つ以上のパラメータと割り当てられた所定の基準値との比較を実行し、前記偏差が割り当てられた所定許容範囲を超える場合、上記真正性を否定する、
及び／又は、
前記セキュリティ素子がアンテナを備えたセキュリティ構造を有する場合、前記セキュリティ文書の前記真正性検査のため、さらに、
位置、電磁的特性、デザイン、色、から選択される前記金属層の１つ以上のパラメータを、特に前記第１、第２、第３及び第４データセットの１つ以上に基づいて決定し、好ましくは、前記決定した１つ以上のパラメータと割り当てられた所定の基準値との比較を実行し、前記偏差が割り当てられた所定許容範囲を超える場合、前記真正性を否定する、
及び／又は、
前記セキュリティ素子の下の前記セキュリティ文書が、金属層及び／又はカラー層を備える文書背景を有する場合、前記セキュリティ文書の前記真正性検査のため、さらに、
位置、色、インクの塗布範囲、反射、向き、サイズ、形状、電磁的特性、個人化、及び被覆範囲、から選択される前記金属層及び／又は前記カラー層の１つ以上のパラメータを、特に前記第１、第２、第３及び第４データセットの１つ以上に基づいて決定し、特に、前記決定された１つ以上のパラメータと割り当てられた所定の基準値との比較を実行し、前記偏差が所定の許容範囲を超える場合、前記真正性を否定する、
及び／又は、
前記セキュリティ素子がＲＦＩＤチップを備えたセキュリティ構造を有する場合、前記セキュリティ文書の前記真正性検査のため、さらに、
前記ＲＦＩＤチップに記憶された、特に、前記セキュリティ素子の１つ以上のセキュリティ構造の仕様及び／又はこれらに記憶されたコードを含む１つ以上の情報項目を読み取り、前記読み取った情報項目に基づき前記セキュリティ文書を検査、特に、前記セキュリティ素子の１つ以上のセキュリティ構造が読み取った仕様に対応するか、及び／又は読み取ったコードを含むかどうかの検査をする、
及び／又は、
前記セキュリティ素子が回折構造及び／又は屈折構造を含むセキュリティ構造を有する場合、前記セキュリティ文書の前記真正性検査のため、さらに、
位置、反射、散乱、光沢、前記回折構造及び／又は屈折構造の設計要素の配置、から選択される前記回折及び／又は屈折構造の１つ以上のパラメータを、特に前記第１、第２、第３及び第４データセットの１つ以上に基づいて決定し、特に、前記決定された１つ以上のパラメータと割り当てられた所定の基準値との比較を実行し、前記偏差が所定の許容範囲を超える場合、前記真正性を否定する、
及び／又は、
前記セキュリティ素子が自発光構造を含むセキュリティ構造を有する場合、前記セキュリティ文書の前記真正性検査のため、さらに、
励起時の発光、励起時の色、当該自発光構造の要素の位置、から選択される前記自発光構造の１つ以上のパラメータを、特に第１、第２、第３及び第４データセットのうちの１つ以上に基づいて決定し、特に、前記決定された１つ以上のパラメータと割り当てられた所定の基準値との比較を実行し、前記偏差が所定の許容範囲を超える場合、前記真正性を否定する、
及び／又は、
前記セキュリティ文書が複数の層を有する文書本体及び／又は窓及び／又は貫通孔領域を有する場合、前記セキュリティ文書の前記真正性検査のため、さらに、
窓位置、窓の形状、及び相互の層の位置、から選択される前記文書本体の１つ以上のパラメータを、特に第１、第２、第３及び第４データセットのうちの１つ以上に基づいて決定し、特に、前記決定された１つ以上のパラメータと割り当てられた所定の基準値との比較を実行し、前記偏差が所定の許容範囲を超える場合、前記真正性を否定すること、
を特徴とする請求項１から１４のいずれかに記載の方法。
【請求項１６】
セキュリティ文書の認証のための装置、特に読取装置であって、
前記装置は、第１スペクトル帯域における前記セキュリティ文書の第１領域の第１透過・反射特性を検出し、前記検出された第１透過・反射特性から前記第１透過・反射特性を示す第１データセットを生成するように設計されたセンサ機器の一部を有し、
前記第１領域は、前記セキュリティ文書上に配置された光学セキュリティ素子と少なくともいくつかの領域で重なり合い、
前記センサ機器は、第２スペクトル帯域における前記セキュリティ文書の前記第１領域の第２透過・反射特性を検出し、前記検出された第２透過・反射特性から前記第２透過・反射特性を示す第２データセットを生成し、
前記第１スペクトル帯域は前記第２スペクトル帯域と異なり、
当該装置は、少なくとも前記第１データセットと前記第２データセットとに基づき、前記セキュリティ文書及び／又は前記セキュリティ素子の真正性を検査するように設計された解析機器の一部を有すること、特に、
前記センサ機器は１つ以上のセンサ及び１つ以上の放射線源を有し、好ましくは、前記第１スペクトル帯域及び前記第２スペクトル帯域に対し、それぞれ異なる放射線源及び／又はセンサが割り当てられること、及び／又は、  前記センサ機器は、１つ以上の放射線源を備え、前記１つ以上の放射線源は、それぞれ可視光、ＵＶ光及び／又はＩＲ放射線を照射すること、
を特徴とする装置。
【請求項１７】
前記セキュリティ文書の前記セキュリティ素子は、２つ以上のセキュリティ構造を有し、特に、
前記セキュリティ素子の前記セキュリティ構造の２つ以上が、それぞれ所定の配置、特に所定の間隔と、所定のサイズ比と、それぞれの場合において、所定の形状、特に画像要素の向き及び形状の所定の見当精度、所定の被覆及び／又は互いに対する所定の向き、を有すること、
を特徴とする請求項１から１５のいずれかに係る方法を用いるセキュリティ素子。
【請求項１８】
前記セキュリティ構造の少なくとも１つは、１つ以上の画像要素からなる第１オブジェクトを備え、前記画像要素の領域に金属層の金属が設けられ、前記金属層の前記金属は前記画像要素を取り囲む背景領域には設けられないこと、
及び／又は、
前記セキュリティ構造の少なくとも１つは、１つ以上の画像要素からなる第２オブジェクトを備え、前記セキュリティ構造のカラー層の染料及び／又は顔料は、前記画像要素の領域に設けられ、前記カラー層の前記染料及び／又は顔料は、前記画像要素を取り囲む背景領域には設けられない、又は低濃度で設けられること、
を特徴とする請求項１７に記載のセキュリティ素子。
【請求項１９】
前記セキュリティ素子は第１及び第２セキュリティ構造を有し、
前記第１セキュリティ構造及び前記第２セキュリティ構造は、少なくともいくつかの領域で重なり合い、前記第１セキュリティ構造は、前記セキュリティ素子の表側から見て前記第２セキュリティ構造の上に配置され、前記第１及び第２セキュリティ構造は、それぞれ１つ以上の画像要素及び背景領域を有し、前記第１セキュリティ構造の前記画像要素は、第２スペクトル帯域において不透明又は大部分が不透明であり、特に金属層からなること、
及び／又は、
前記セキュリティ素子は第１及び／又は第２セキュリティ構造を有し、
前記第１セキュリティ構造及び／又は前記第２セキュリティ構造は、それぞれ１つ以上の画像要素及び背景領域を備え、前記第２セキュリティ構造の前記画像要素は、前記第１スペクトル帯域において透明又は大部分が透明である一方、前記第２スペクトル帯域において前記第２セキュリティ構造の前記背景領域に対するコントラストを有し、好ましくは、前記第２セキュリティ構造の前記背景領域に対して５％を超える、具体的には８％を超える、より好ましくは１０％を超えるコントラストを有し、前記第１及び第２セキュリティ構造は、好ましくは、少なくともいくつかの領域において重なり合い、前記第２セキュリティ構造は、前記セキュリティ文書の表側から見たとき、前記第１セキュリティ要素の上に配置されること、
及び／又は、
前記セキュリティ素子は、第１及び第２セキュリティ構造を有し、
前記第２セキュリティ構造の１つ以上の前記画像要素及び前記第１セキュリティ構造の１つ以上の前記画像要素は、前記第１及び第２セキュリティ素子の前記画像要素の互いの位置、形状及び／又は方向に関し、前記セキュリティ素子上に正確に設けられ、具体的には、前記第１セキュリティ構造と前記第２セキュリティ構造の画像要素は、互いの位置が正確であり、及び／又は互いに正確に結合しているか、及び／又は傾斜が正確に一致すること、
及び／又は、
前記セキュリティ素子は、第１及び第２セキュリティ構造を有し、前記第１セキュリティ構造は部分金属層及び回折構造を備え、前記第２セキュリティ構造は部分カラー層を備え、前記金属層又は前記カラー層の材料は、前記第１セキュリティ構造及び前記第２セキュリティ構造の１つ以上の画像要素に設けられ、当該画像要素を取り囲む背景領域には設けられず、前記金属層及び前記カラー層の画像要素は互いに一致する形状を有し、前記回折構造は、前記第２スペクトル帯域、具体的にはＶＩＳ帯域の放射線を前記読取装置のセンサに回折する一方、前記第１スペクトル帯域、具体的にはＩＲ帯域の放射線は前記読取装置のセンサに回折しないように設計されていること、
及び／又は、
前記セキュリティ素子は、第１及び第２セキュリティ構造を有し、前記第１セキュリティ構造は部分金属層を備え、前記第２セキュリティ構造は部分カラー層を備え、前記部分金属層又は前記カラー層の材料は、前記第１セキュリティ構造及び前記第２セキュリティ構造の１つ以上の画像要素に設けられ、当該画像要素を取り囲む背景領域には設けられず、前記カラー層の複数の画像要素が機械読取可能なコード状に成形され、前記金属層は、第１マスク層を用いて第１情報項目の形状に成形されると共に、カラー層からなる第２マスク層を用いて非金属化され、よって、前記金属層の画像要素は、完全な前記第１情報項目を含まなくなること、
を特徴とする請求項１７又は１８に記載のセキュリティ素子。
【請求項２０】
前記セキュリティ素子は、アンテナを備えるセキュリティ構造を有すること、
及び／又は、
前記セキュリティ素子は、ＲＦＩＤチップを備えたセキュリティ構造を少なくとも１つ有し、前記ＲＦＩＤチップは、特に前記セキュリティ素子の１つ以上のセキュリティ構造の仕様及び／又はこれに記憶されるコードを含む情報項目を記憶し、前記セキュリティ文書は、前記読み込んだ項目に基づいて検査され、具体的には、前記セキュリティ素子の１つ以上の前記セキュリティ構造がそれぞれ前記読み込んだ仕様と対応するかどうか、及び／又は前記読み込んだコードを含むかどうか検査すること、
を特徴とする請求項１７から１９のいずれかに記載のセキュリティ素子。
【請求項２１】
請求項１７から２０のいずれかに記載のセキュリティ素子を有するセキュリティ文書であって、
前記セキュリティ素子の下の前記セキュリティ文書は、金属層及び／又はカラー層を備える文書背景を持ち、及び／又は、前記セキュリティ文書が複数の層を有する文書本体及び／又は貫通孔領域を備えること、を特徴とするセキュリティ文書。
【手続補正２】
【補正対象書類名】明細書
【補正対象項目名】００４２
【補正方法】変更
【補正の内容】
【００４２】
色空間は、例えば、Ｌｕｖ、ＨＳＶで表される。特徴認識や画像分割の分析にあっては、ＲＧＢ色空間から派生したＨＳＶ色空間を用いるのが好ましい。なお、Ｈは色相（Hue）、Ｓは彩度（Saturation）、Ｖは明度（Value（強度：intensity））を意味し、これらが円柱座標系で配置される。即ち、色相は円形で表され、色相の位置は「度」で示される。例えば、緑色からの色ずれを認識するためには、色相Ｈは３６０°の色相環内の規定された設定値から少なくとも１０°、好ましくは少なくとも２０°、より好ましくは少なくとも３０°、ずれていなければならない。また、この場合の許容誤差範囲は、２０°、好ましくは４０°、より好ましくは６０°である。彩度Ｓは、０から２５５の好ましい範囲において、少なくとも１００、好ましくは少なくとも７５、より好ましくは少なくとも５０の値を有する。彩度Ｓは、好ましくは少なくとも３９％、特には少なくとも２９％、より好ましくは１９．５％の値の範囲となる。明度（強度）Ｖは、０から２５５の好ましい範囲において、少なくとも７０、好ましくは７０から１２０、より好ましくは８０から１３０、の間の値を有する。明度（強度）Ｖは、好ましくは少なくとも２７％、特に２７％から４７％の間、より好ましくは３１％から５１％の間の値の範囲となる。
【手続補正３】
【補正対象書類名】明細書
【補正対象項目名】００７３
【補正方法】変更
【補正の内容】
【００７３】
テンプレートマッチングアプリケーションとは、具体的には、画像又はモチーフ（特に予め定義された画像又はモチーフに対応するセキュリティ構造の画像要素、即ちテンプレート）の部分を特定するアルゴリズムを意味する。テンプレートは、データベースに格納されるのが好ましい。画像要素又は画像オブジェクトは、基準画像又は基準モチーフとのマッチングのために画像点ごとに検査されることが好ましい。点の数（即ち、画像点及び／又は基準点の数）が非常に大きい場合、基準点の数を減らしても良い。具体的には、モチーフ又は画像の解像度を減らすことによって基準点の数を減らしても良い。当該アルゴリズムの目的は、それぞれのデータセット内で基準画像又は基準モチーフの最も高い一致点を見つけることにある。
【手続補正４】
【補正対象書類名】明細書
【補正対象項目名】０１６９
【補正方法】変更
【補正の内容】
【０１６９】
また、図１ａにおいて例示するように、第１領域３が、セキュリティ文書１の１つ以上のセキュリティ構造１５と重なっても良い。ここで、セキュリティ文書１のセキュリティ構造１５は、セキュリティ素子のセキュリティ構造１０に関して上述したように、対応して形成されるのが好ましい。
【手続補正５】
【補正対象書類名】明細書
【補正対象項目名】０１７３
【補正方法】変更
【補正の内容】
【０１７３】
センサ機器２１は、例えば図１ｃに示すように、正面側及び背面側からの反射光により観察した場合及び透過光で観察した場合に、透過・反射スペクトルを検出するべく、セキュリティ文書供給装置の異なる側面に配置されるセンサ２５を有するのが好ましい。
【手続補正６】
【補正対象書類名】明細書
【補正対象項目名】０１９８
【補正方法】変更
【補正の内容】
【０１９８】
セキュリティ素子１ａのより有利な変形例は、回折及び／又は確立構造（具体的には、散乱マット構造）の回折特性を利用する。かかる構造により、電磁波、特にＩＲ及び／又はＶＩＳ範囲の電磁波を、１つ以上の読取装置２に向けて、より好ましくは読取装置２の１つ以上の検出器に向けて偏向（回折又は散乱）させる。これにより、ＩＲ画像において、回折又は散乱構造で設計されたセキュリティ素子１ａの領域をＩＲ帯域で照らす、好ましくは、より強く照らす（即ち、通常の金属表面よりも強く照らす）ことができる。あるいは、ＶＩＳ画像において、回折又は散乱構造で設計されたセキュリティ素子１ａの領域をＶＩＳ帯域で照らす、好ましくは、より強く照らす（即ち、通常の金属表面よりも強く照らす）ことができる。なお、セキュリティ文書１の真正性検査において、回折構造の成形に関する製造ばらつきは、製造公差として考慮される。
【手続補正７】
【補正対象書類名】明細書
【補正対象項目名】０１９９
【補正方法】変更
【補正の内容】
【０１９９】
図４ａは、あるスペクトル帯域（具体的には、ＶＩＳ帯域）による照射下でのセキュリティ素子１ａの３つの部分領域７０ａ，７０ｂ，７０ｃを示す。部分領域７０ａ，７０ｂは、複雑な形状（幾何学的構造、好ましくは、曲線又はギロシェからなる英数字形状）を持つ部分金属部２０８を示し、部分領域７０ｃは、一方ではカラープリント２０７を形成し他方では部分金属部２０８として形成される輪状線を有する画像要素７ａを示す。部分領域７０ｃにおいて任意に着色されたカラープリント２０７は、許容誤差なしで部分金属部２０８と結合する。
【手続補正８】
【補正対象書類名】明細書
【補正対象項目名】０２００
【補正方法】変更
【補正の内容】
【０２００】
検査方法における有利な実施形態では、１つ以上のスペクトル帯域（好ましくは第１スペクトル帯域及び第２スペクトル帯域、より好ましくはＶＩＳ帯域及びＩＲ帯域）において図４ａに示すセキュリティ文書１の真正性検査が実行される。対応するスペクトル帯域におけるセキュリティ素子１ａの記録に基づき、第１スペクトル帯域（好ましくは、ＶＩＳ帯域）に割り当てられた第１データセット、即ちＶＩＳ画像と、第２スペクトル帯域（好ましくは、ＩＲ帯域）に割り当てられた第２データセット、即ちＩＲ画像とが読取装置２により生成される。図４ｂは、第２スペクトル帯域（好ましくはＩＲ帯域）を照射した場合のセキュリティ素子１ａの部分領域７０ａ，７０ｂ，７０ｃを示す。結果として、セキュリティ素子１ａの３つの部分領域のうち、（カラープリント２０７ではなく）部分金属部２０２のみが読取装置２により検出可能である。なぜならば、この例におけるカラープリントはＩＲ帯域の波長を全く吸収しないかほとんど吸収しないためである。
【手続補正９】
【補正対象書類名】明細書
【補正対象項目名】０２０３
【補正方法】変更
【補正の内容】
【０２０３】
セキュリティ素子１ａの第１部分金属部２０８の後、部分領域７０ｃをエッチングレジスト（特に、カラーエッチングレジスト、より好ましくは青色エッチングレジスト）により重ね印刷することができる。部分金属部２０８に対するエッチングレジストの位置、形状及び／又は見当精度の許容範囲は、真正性検査の際に考慮され得る。エッチングレジスト（特にカラーエッチングレジスト、より好ましくは青色エッチングレジスト）は、その色彩による効果と、エッチングレジストが更なる部分金属化処理においてエッチングマスクとして作用するという特徴を持つ。
【手続補正１０】
【補正対象書類名】明細書
【補正対象項目名】０２０５
【補正方法】変更
【補正の内容】
【０２０５】
さらなるステップでは、第３スペクトル帯域（具体的には、ＵＶ帯域）にて真正性検査が行われる。ＵＶ蛍光プリント２０７ｂの色及び／又は見当精度及び／又は形状は、読取装置２及び／又はカラー（特に青色）エッチングレジスト若しくはエッチングレジストプリントの検出方向からみて該ＵＶ蛍光プリント２０７ｂの前に位置する部分金属部との関係で検査される。図４ｃは、第３スペクトル帯域（特にＵＶ帯域）の放射線で照射されたセキュリティ素子１ａの部分領域７０ａ，７０ｂ，７０ｃを示す。この場合、画像要素７ａのうち、部分金属部２０８で覆われていないＵＶ蛍光プリント２０７ｂのみが対応する読取装置２によって検出可能である。また、検出されたＵＶ蛍光プリント２０７ｂのみが第３データセット、即ちＵＶ画像に変換される。カラープリントの下のＵＶ蛍光プリント２０７ｂは、認識可能又は認識不能であり、あるいは、カラープリント２０７（具体的には、青色エッチングレジスト）の特性に応じてカラープリント２０７によって減衰される。妥当性検査のフレームワークでは、さらに、ＵＶ蛍光プリント２０７ｂから射出された光の色が特定の色（具体的には、黄色）か否か検査される。ＵＶ蛍光プリント２０７ｂは、放射線（特に、電磁波、具体的には、紫外線）によって励起され得る。
【手続補正１１】
【補正対象書類名】明細書
【補正対象項目名】０２０６
【補正方法】変更
【補正の内容】
【０２０６】
また、異なるオブジェクトの特徴に対する許容誤差として典型的な値は、それぞれ±０．８ｍｍ、特に±０．５ｍｍ、より好ましくは、０．２ｍｍ未満かつ−０．２ｍｍを超える。このようなオブジェクトとしては、セキュリティ素子１ａの部分領域７０ｃの１つ以上のデザインに対する、部分領域７０ａの１つ以上のデザインのうちの位置、色、インクの塗布範囲、方向、サイズ、形状、電気的特性、反射、個人化及び被服範囲から選択される。なお、それぞれの場合において、デザインは、ＵＶ蛍光プリント２０７ｂ、カラー（特に青色）エッチングレジスト、及び／又は部分金属物２０８から選択される。より具体的には、部分領域７０ａの部分金属部２０８に対する、部分領域７０ｃのカラー（特に青色）エッチングレジスト及びＵＶ蛍光プリント２０７ｂの許容誤差は、±０．８ｍｍ、特に±０．５ｍｍ、好ましくは０．２ｍｍ未満かつ−０．２ｍｍを超える。これらの許容誤差は、互いに対して見当合わせされた印刷処理における典型的な変動から生じ、機械及び制御に応じて、はるかに小さくても大きくてもよい。
【手続補正１２】
【補正対象書類名】明細書
【補正対象項目名】０２１５
【補正方法】変更
【補正の内容】
【０２１５】
したがって、例えばセキュリティ文書１のカラー画像要素７ａが、英数字、特に“Ｋ”として図５ａに具体化され得る。画像要素７ａには、観察方向又は読取装置２のセンサの方向から見て、部分金属部２１０、特に、金属反射層が背後に見当精度良く設けられたカラープリント２０９（好ましくはＵＶ蛍光プリント）が設けられる。また、画像要素７ａにおいて、セキュリティ素子１ａへの入射光を回折及び／又は散乱する、回折及び／又はマクロ及び／又は散乱構造が表面の一部又は表面全体に対して成形される。好適な実施形態において、この回折及び／又はマクロな構造２１０は、正弦波、長方形及び／又は非対象のレリーフを持つ１つ以上の一次元若しくは二次元の格子構造、及び／又はマット構造から選択される構造として設計される。
【手続補正１３】
【補正対象書類名】明細書
【補正対象項目名】０２１８
【補正方法】変更
【補正の内容】
【０２１８】
図５ｂは、ＩＲ帯域の放射線の照射下における部分領域７ａを示す。部分金属部２１０（即ち、金属領域）は、背景領域７ｂよりも明るい基板の部分領域に対して暗く現れる。マット構造のデザイン及び読取装置の照明配置に応じ、マット領域も照射することができる。蛍光染料をプリント２０９のインクに添加すると、ＵＶ帯域の照射の下で画像要素７ａが所定の色（特に黄色）に光る。
【手続補正１４】
【補正対象書類名】明細書
【補正対象項目名】０２２０
【補正方法】変更
【補正の内容】
【０２２０】
より好適な検査方法では、セキュリティ文書１の第１領域３（好ましくは窓要素、より好ましくは窓構造）の透過特性及び／又は反射特性が、１つ以上のスペクトル帯域において、当該文書の表側６ａ及び裏側６ｂから、読取装置２によって、検出される。そのため、それぞれのスペクトル帯域に割り当てられた１つ以上のデータセットが生成される。当該データセットは、それぞれ、１つ以上のセキュリティ素子１ａの表側６ａで検出可能な当該表側６ａに関する第１情報項目と、１つ以上のセキュリティ素子１ａの裏側６ｂで検出可能な当該裏側６ｂに関する第２情報項目とを含む。セキュリティ文書１の真正性検査は、ソフトウェア（特にアルゴリズムを含むソフトウェア）によるデータセットの分析、及び／又は、分析結果（具体的には閾値画像）とテンプレート（具体的には閾値画像テンプレート、より好ましくはデータベース内の閾値画像テンプレート）との比較を利用しながら実行される。また、セキュリティ文書１の裏側６ｂの全面又は一部に亘り設計された回折光学構造及び／又はインクは、真正性検査の意味の範囲内において、当該セキュリティ文書１の表側６ａの全面又は一部に亘り設計されたインク及び／又は構造から有利に異なる、あるいは、当該構造及び／又はインクは、一方の面（即ち、表側６ａ又は裏側６ｂ）にのみ現れ、更なる検査用の特徴として利用される。表側６ａのインクの配置及び／又は表側６ａの構造は、裏側６ｂのインクの配置及び／又は表側６ａの構造に対して見当精度良く（特に、見当公差が±０．５ｍｍ、具体的には±０．２ｍｍ、好ましくは０．２ｍｍ未満かつ−０．２ｍｍを超える）設けられる。さらに、カラー及び／又は構造領域の位置、色、インク塗布領域、反射、方向、サイズ、形状、電磁的特性、個人化、及び被服範囲、から選択される１つ以上の特性が、データセットの提供を受けたソフトウェアにより認識され、真正性検査のために基準データセット（即ち、テンプレート）と比較される。正確な見当精度を持つ構造が特に好ましい。したがって、例えば、部分金属化セキュリティ構造は表側を金属とし、当該金属領域と同一箇所の背後に、裏側から見て正確に位置決めして（即ち、公差ゼロで）カラー部を設けることができる。
【手続補正１５】
【補正対象書類名】明細書
【補正対象項目名】０２２１
【補正方法】変更
【補正の内容】
【０２２１】
さらに好適な方法では、重ね合わせた１つ以上の第１領域（セキュリティ文書１の１つ以上のセキュリティ素子１ａの１つ以上のセキュリティ構造１０を部分的又は完全に備える領域）が、１つ以上のスペクトル帯域（即ち、ＶＩＳ帯域、ＩＲ帯域及びＵＶ帯域から選択される帯域）において読取装置２によって読み取られる。また、１つ以上のデータセット５が、それぞれスペクトル帯域に割り当てられる。ソフトウェア、特に１つ以上のアルゴリズム（具体的には、テンプレートマッチング、境界枠、A-KAZE）を有するソフトウェアは、データセットの評価を通してセキュリティ文書１を、種類、又はモデル（好ましくは、データベースに含まれる種類又は好み）に割り当てる。データベースは、セキュリティ構造１０のカラープリント２０９及び／又は部分金属部２１０の、種類、デザイン、位置、見当精度、見当位置、カラー、インク塗布領域、反射、方向、サイズ、形状、電磁的特性、個人化、及び被服範囲、から選択される１つ以上の特性を提供する。部分金属部は、具体的にはキネグラム（登録商標）としてデザインできる。また、分析やデータセットと基準データセット（特にテンプレート、好ましくはデータベースに記憶されたテンプレート）との比較を行う際に、型番に基づく照明のバラツキ、センサ状態、センサ設定、あるいはカメラ状態やセンサ状態、の影響を考慮するため、セキュリティ文書１の真正性検査における割当基準は、読取装置２や検査装置の型番、モデル及び／又は製造業者に応じて作成される。さらに、部分金属部２１０の製造時及び／又は部分金属部の塗布時や部分金属部２１０をセキュリティ文書１に埋め込む際の歪みにより発生する、プラスチック製文書（特にポリカーボネート製文書）の製造公差も、セキュリティ文書１の真正性検査のフレームワークにおいて考慮される。
【手続補正１６】
【補正対象書類名】明細書
【補正対象項目名】０２３７
【補正方法】変更
【補正の内容】
【０２３７】
オブジェクト９ｂの領域内においてＵＶ帯域で検出されるＵＶプリント（図７ｂに示す、連続する３つの文字“ＵＴＯ”の形状）は、オブジェクト９ｂの領域内においてＩＲ帯域で検出される部分金属部（図７ｃに示す、同様に連続する３つの文字“ＵＴＯ”の形状）及び表面に構造化されたＲＩＣＳの輪郭に対して、許容誤差±０．５ｍｍの（好ましくは±０．２ｍｍの、より好ましくは０．２ｍｍ未満かつ−０．２を超える）見当精度で設けられる。なお、ＲＩＣＳ（回転による色の変化（Rotation Induced Color Shift））構造は、特に背後にＨＲＩ層が設けられたゼロ次回折構造、具体的には、可視光波長よりも短い（具体的には可視光の波長の半分の）間隔のゼロ次回折格子を有する。ＲＩＣＳ構造は、特定の波長帯域の光を、当該ＲＩＣＳ構造の向きに応じてミラー反射する。ＲＩＣＳ構造は、ＩＲ帯域の照明下では、観察角度に応じてＲＩＣＳ効果のない構造とのコントラストも実現する。また、ＩＲ帯域の照明下で検出可能な少なくとも２つの画像要素は、構造化された背景領域７００ａ及び／又は残余の背景領域７００ｂの位置及び／又は形状について、ＶＩＳ帯域の照明下で検出可能な２つのオブジェクト９ａ，９ｂと比較されると共に、その比較結果は、セキュリティ文書１の真実性検査のフレームワークの中で更なる検査ステップに適用される。
【手続補正１７】
【補正対象書類名】明細書
【補正対象項目名】０２４２
【補正方法】変更
【補正の内容】
【０２４２】
図８ｄは、特に第２スペクトル帯域（より好ましくは、ＵＶ帯域）の紫外線が照射されたＵＶ蛍光プリント２１３の領域におけるＵＶ画像を示す。当該ＵＶ画像は、プリント２１３のうち部分金属部２１４ｂで覆われていない部分に設けられる。第２データセットは、ＱＲコードの部分画像として、少なくともＵＶ画像を含む。なお、当該部分画像は、もはや第１情報項目の全てを有しないが、第２セキュリティ構造１０ｂの完全な第１情報を構成する２つの部分のうちの第２の部分を有する。
【手続補正１８】
【補正対象書類名】明細書
【補正対象項目名】０２４９
【補正方法】変更
【補正の内容】
【０２４９】
本方法のより好適な実施形態は、第１スペクトル帯域（好ましくは、ＩＲ帯域）及び／又は第２スペクトル帯域（好ましくは、ＵＶ帯域）において読取装置２によって検出されたセキュリティ素子１ａと、データセット（具体的には、第１データセット）として検出されたＩＲ画像、及び／又はデータセット（具体的には、第２データセット）として検出されたＵＶ画像からアルゴリズム（具体的には、テンプレートマッチングアルゴリズム）を有するソフトウェアによって生成された閾値画像とを、テンプレート（好ましくは、データベースを有するテンプレート）と比較する処理を有し、これにより真正性の検査がなされる。また、検出されたセキュリティ素子１ａの真正性を検査するために、第１スペクトル帯域及び第２スペクトル帯域において、それぞれ部分金属部２１６の形状を画像化する第１データセット及び第２データセットは、直接対応するテンプレート（好ましくは、データベースに含まれるテンプレート）と比較されても良い。
【手続補正１９】
【補正対象書類名】明細書
【補正対象項目名】０２５０
【補正方法】変更
【補正の内容】
【０２５０】
また、セキュリティ素子１ａの部分金属部２１６の平面部分領域７０は、レーザによって読取可能コード（好ましくは、機械による読み取りが可能なコード）として成形される。平面部分領域７０は、記憶されたコード（具体的には、データベースに記憶されたコード、より具体的にはかかるコードに対する命令）との比較においてセキュリティ素子１ａの真正性検査に利用される。
【手続補正２０】
【補正対象書類名】明細書
【補正対象項目名】０２５１
【補正方法】変更
【補正の内容】
【０２５１】
また、さらに好適な方法では、セキュリティ素子１ａの部分金属部２１６の部分領域７０ｃにおいてレーザによって露光されカラープリント２１５（具体的には、ＵＶプリント、より好ましくは、ＵＶ蛍光ＵＶプリント）には、カラーパターンが設けられる。当該カラーパターンは、部分領域７０のエッジと完全に一致して、特に見当通りに配置されなければならない。また、セキュリティ素子１ａの真正性検査のために、カラーパターンは、記憶されたカラーパターン（具体的には、当該カラーパターンを画像化したデータセット、より好ましくは、データベースに含まれた当該カラーパターを画像化したデータセット）と比較される。
【手続補正２１】
【補正対象書類名】明細書
【補正対象項目名】０２５２
【補正方法】変更
【補正の内容】
【０２５２】
さらに好適な方法では、好ましくはレーザによって（特にレーザダイオードによって）セキュリティ素子１ａの部分金属部２１６の部分領域７０の形状に成形された個別マークは、アルファベット文字からなるのが好ましい。個別マークは、読取装置２により、１つ以上のスペクトル帯域において検出される。また、生成されてスペクトル帯域に割り当てられたデータセットが、自己学習アルゴリズム（具体的には、教師あり又は教師なし自己学習アルゴリズム、より好ましくは、監視又は非監視の自己学習型画像認識アルゴリズム及び／又はパターン認識アルゴリズム）によって分析されることにより、真正性のチェックが行われても良い。